(57)【要約】【課題】主に各種電子機器に使用される開閉装置及びこれを用いた電子機器に関し、簡易な構成で、多様な操作が可能なものを提供することを目的とする。【解決手段】解除カム２３への押圧に応じて回転する解除体２２に、固定ケース１４から外方へ延出するアーム部２２Ａを設けて開閉装置３０を形成すると共に、固定ケース１４と可動ケース１７を、固定筐体３１と可動筐体３２に装着して電子機器を構成することで、軸線方向への解除カム２３の押圧によって、固定筐体３１に対する可動筐体３２の開閉操作が行えると共に、これと略直交方向からアーム部２２Ａを押圧し、解除体２２を回転させて可動筐体３２の開閉を行うこともできるため、簡易な構成で、固定筐体３１の側面と背面からの、二方向からの多様な操作が可能なものを得ることができる。【選択図】図１
2013145003.tif 000002
【特許請求の範囲】
【請求項１】
固定カムが形成された固定体と、この固定体を収納する固定ケースと、上記固定カムに弾接する可動カムが形成された可動体と、この可動体を軸線方向へ移動可能に収納する可動ケースと、上記可動カムが弾接する反転カムが形成された反転体と、解除カムへの押圧に応じて回転する解除体からなり、上記解除体に上記固定ケースから外方へ延出するアーム部を設けた開閉装置。
【請求項２】
請求項１記載の開閉装置の固定ケースと可動ケースを、固定筐体と可動筐体に装着し、固定筐体に対して可動筐体を開閉可能に軸支した電子機器。
【発明の詳細な説明】
【技術分野】
【０００１】
本発明は、主に電子辞書やパーソナルコンピュータ等の各種電子機器に使用される開閉装置、及びこれを用いた電子機器に関するものである。
【背景技術】
【０００２】
近年、電子辞書やパーソナルコンピュータ等の電子機器の多様化や高機能化が進むなか、固定筐体に対し可動筐体を開閉させて、様々な操作を行うものが増えており、これらに用いられる開閉装置においても、使い易く、多様な操作を行えるものが求められている。
【０００３】
このような従来の開閉装置や電子機器について、図９を用いて説明する。
【０００４】
図９は従来の電子機器の斜視図であり、同図において、１は略箱型で合成樹脂製の固定筐体、２は同じく合成樹脂製の可動筐体で、固定筐体１の上面には複数のキーが配列された操作部１Ａが、可動筐体２の前面には液晶表示素子等の表示部２Ａが形成されている。
【０００５】
また、３は開閉装置で、固定ケース３Ａに回転可能に装着された略円筒状の可動ケース３Ｂ内には、固定カムに弾接する可動カムやばね（図示せず）等が形成されている。
【０００６】
そして、この開閉装置３の固定ケース３Ａが固定筐体１後端に、可動ケース３Ｂが可動筐体２下端に装着され、開閉装置３によって、可動筐体２が固定筐体１に対して開閉可能に軸支されると共に、固定筐体１後端側面の開閉装置３端部には押釦４が装着されて、電子機器が構成されている。
【０００７】
以上の構成において、図９（ａ）に示すように、固定筐体１に対して可動筐体２が閉じた状態では、開閉装置３の可動ケース３Ｂには閉方向への付勢力がはたらいているため、可動ケース３Ｂが装着された可動筐体２が閉じた状態で保持されている。
【０００８】
そして、この閉状態から、指で固定筐体１側面の押釦４を押圧操作すると、開閉装置３のカムやばね等が動作して、可動ケース３Ｂが開方向へ付勢されるため、図９（ｂ）に示すように、可動筐体２に開く方向の力が加わり、可動筐体２が固定筐体１に対して所定の操作角度開いた状態で保持され、表示部２Ａを見ながら操作部１Ａを操作して、例えば文字の入力操作等が行い易い状態となる。
【０００９】
なお、この開状態から可動筐体２を手で閉操作すると、図９（ａ）に示したように、可動筐体２が閉じて保持された状態に戻って、携帯して持ち運び易い状態となる。
【００１０】
つまり、開閉装置３によって可動筐体２を、固定筐体１に対して開閉可能に軸支することで、固定筐体１に対して可動筐体２が開き、表示部２Ａを見ながら操作部１Ａによる入力操作等が行い易い状態と、可動筐体２が閉じて携帯し易い状態に、各々保持することが可能なように構成されているものであった。
【００１１】
なお、この出願の発明に関連する先行技術文献情報としては、例えば、特許文献１が知られている。
【先行技術文献】
【特許文献】
【００１２】
【特許文献１】特開２００９−２６４５２７号公報
【発明の概要】
【発明が解決しようとする課題】
【００１３】
しかしながら、上記従来の開閉装置や電子機器においては、開閉装置３の固定ケース３Ａと、これに対して回転可能な可動ケース３Ｂが軸線方向に装着され、これを固定筐体１後端と可動筐体２下端に取付けて、押釦４の軸線方向への押圧操作によって、固定筐体１に対する可動筐体２の開閉を行っているため、押釦４の装着箇所は固定筐体１の後端側面に限られており、固定筐体１の背面等に押釦４を設け、これによって可動筐体２の開閉操作を行おうとした場合には、カムやリンク部材等の他の部品が必要となり、構成も複雑なものになってしまうという課題があった。
【００１４】
本発明は、このような従来の課題を解決するものであり、簡易な構成で、多様な操作が可能な開閉装置、及びこれを用いた電子機器を提供することを目的とする。
【課題を解決するための手段】
【００１５】
上記目的を達成するために本発明は、解除カムへの押圧に応じて回転する解除体に、固定ケースから外方へ延出するアーム部を設けて開閉装置を形成すると共に、この開閉装置の固定ケースと可動ケースを、固定筐体と可動筐体に装着して電子機器を構成したものであり、押釦による軸線方向への解除カムの押圧によって、固定筐体に対する可動筐体の開閉操作が行えると共に、これと略直交方向からアーム部を押圧し、解除体を回転させて可動筐体の開閉を行うこともできるため、簡易な構成で、固定筐体の側面に加え、背面からの二方向からの多様な操作が可能な開閉装置、及びこれを用いた電子機器を得ることができるという作用を有するものである。
【発明の効果】
【００１６】
以上のように本発明によれば、簡易な構成で、多様な操作が可能な開閉装置及びこれを用いた電子機器を実現することができるという有利な効果が得られる。
【図面の簡単な説明】
【００１７】
【図１】本発明の一実施の形態による開閉装置の断面図
【図２】同分解斜視図
【図３】同電子機器の斜視図
【図４】同開閉装置の斜視図
【図５】同カム動作図
【図６】同他の実施の形態による電子機器の斜視図
【図７】同開閉装置の斜視図
【図８】同カム動作図
【図９】従来の電子機器の斜視図
【発明を実施するための形態】
【００１８】
以下、本発明の実施の形態について、図１〜図８を用いて説明する。
【００１９】
（実施の形態）
図１は本発明の一実施の形態による開閉装置の断面図、図２は同分解斜視図であり、同図において、１１は略円筒状で鋼や銅合金、焼結合金等の金属製の固定体で、外周には右方へ突出した一対の固定カム１２が設けられている。
【００２０】
そして、１３は略円柱状で金属製の固定軸、１４は略円筒状で金属製の固定ケースで、固定ケース１４内に固定体１１が収納されると共に、固定軸１３の左端に固定体１１と固定ケース１４が各々固着されている。
【００２１】
また、１５は略円筒状で金属製の可動体で、固定体１１に対し開閉方向へ回転可能に、かつ軸線方向へ移動可能に配置されると共に、左端外周には固定体１１の方向へ突出する一対の可動カム１６が形成されている。
【００２２】
さらに、１７は略円筒状で金属製の可動ケースで、外周の溝部に可動体１５外周の凸部が挿入され、可動体１５が可動ケース１７に対し軸線方向へは移動可能で、回転方向へは一体となって回転するようにして、可動ケース１７内に収納されている。
【００２３】
また、可動ケース１７の左端開口部には固定ケース１４が回転可能に装着されると共に、固定軸１３が可動体１５や可動ケース１７内を挿通し、右端が止め輪１８によって可動ケース１７外側面に回転可能に装着されている。
【００２４】
そして、１９はコイル状に巻回された鋼線製のばねで、可動体１５右側面と可動ケース１７内側面の間にやや撓んだ状態で装着され、このばね１９によって、可動体１５が左方の固定体１１の方向へ付勢されている。
【００２５】
さらに、２０は略円筒状で金属製の反転体で、右端外周には右方へ突出する一対の反転カム２１が形成されると共に、反転体２０が固定ケース１４内に軸線方向へ移動可能なように装着されている。
【００２６】
そして、２２は略リング状で金属製の解除体で、固定ケース１４内に回転可能に装着されると共に、解除体２２外周には解除カム２３と、固定ケース１４から軸線方向とは略直交方向の外方へ延出するアーム部２２Ａが設けられている。
【００２７】
また、２４は鋼線製の巻ばねで、巻ばね２４がやや捩られた状態で一端が解除体２２に、他端が固定体１１に係止されると共に、固定ケース１４側面の開口部を蓋体２５が覆って、開閉装置３０が構成されている。
【００２８】
そして、このように構成された開閉装置３０が、図３の斜視図に示すように、固定ケース１４が上面に複数のキーを配列した操作部３１Ａが形成された固定筐体３１後端に、可動ケース１７が前面に液晶表示素子等の表示部３２Ａが形成された可動筐体３２下端に装着され、開閉装置３０によって、固定筐体３１に対して可動筐体３２が開閉可能に軸支されて電子機器が構成される。
【００２９】
また、図４の斜視図に示すように、開閉装置３０左端の固定ケース１４には、押釦３３が押圧部３３Ａを解除体２２の解除カム２３に当接させて、固定筐体３１後端側面から突出して装着される。
【００３０】
つまり、回転可能な可動ケース１７に軸線方向に装着された固定ケース１４に、押釦３３が軸線方向に押圧操作可能なように取付けられている。
【００３１】
以上の構成において、図３（ａ）に示すように、固定筐体３１に対して可動筐体３２が閉じた状態では、開閉装置３０は、図５（ａ）のカム動作図に示すように、固定カム１２から可動カム１６の方向へ突出した、反転カム２１の下側の傾斜部に可動カム１６が弾接し、可動カム１６がばね１９によって下方向の閉方向へ付勢されているため、可動ケース１７が装着された可動筐体３２には閉方向への付勢力がはたらき、可動筐体３２が閉じた状態で保持されている。
【００３２】
そして、この閉状態から、指で固定筐体３１後端側面の押釦３３を押圧操作すると、図５（ｂ）に示すように、押圧部３３Ａが軸線方向へ移動して解除カム２３を押圧し、解除体２２が巻ばね２４を撓めながら下方向へ回転して、解除体２２右端の突部が反転体２０左端の突部から外れるため、反転カム２１が左方向へ移動する。
【００３３】
このため、図５（ｃ）に示すように、ばね１９に付勢された可動カム１６が固定カム１２上側の傾斜部に弾接して上方向へ回転し、可動ケース１７が上方向の開方向へ付勢されるため、この力によって可動ケース１７と、これが装着された可動筐体３２には開く方向の力が加わり、図３（ｂ）に示すように、可動筐体３２が開操作される。
【００３４】
そして、図５（ｄ）に示すように、固定カム１２上側の傾斜部上を、可動カム１６が上方向へ弾接摺動するに伴って可動筐体３２が開いてゆき、図３（ｃ）に示すように、可動筐体３２が固定筐体３１に対して所定の操作角度で、例えば１３０度前後開いた状態で保持され、表示部３２Ａを見ながら操作部３１Ａを操作して、例えば文字の入力操作等を行い易い状態となる。
【００３５】
なお、押圧操作した後、押釦３３から指を離すと、図５（ｅ）に示すように、押圧部３３Ａによる解除カム２３への押圧力がなくなるため、巻ばね２４に付勢された解除体２２が上方向へ戻り、左端の突部を押圧された反転カム２１が右方向へ移動して、これらのカムが元の位置に復帰する。
【００３６】
また、この開状態から可動筐体３２を手で閉じると、上記とは逆に、可動カム１６が固定カム１２上側の傾斜部上を下方向へ弾接摺動し、反転カム２１の下側の傾斜部に弾接して、図３（ａ）や図５（ａ）に示した状態に戻り、可動筐体３２が携帯し易い閉じた状態で保持される。
【００３７】
つまり、開閉装置３０によって可動筐体３２を、固定筐体３１に対して開閉可能に軸支することで、固定筐体３１に対して可動筐体３２が開き、表示部３２Ａを見ながら操作部３１Ａによる入力操作等が行い易い状態と、可動筐体３２が閉じて携帯し易い状態に、各々保持することができると共に、手による開閉操作に加え、可動筐体３２を開く際には、押釦３３の軸線方向への押圧操作によって、解除カム２３を押圧して解除体２２を回転させ、可動筐体３２をワンタッチで開く、所謂ワンタッチオープン操作が行えるように構成されている。
【００３８】
さらに、図６は本発明の他の実施の形態による電子機器の斜視図であり、同図において、固定筐体３１後端に開閉装置３０の固定ケース１４が、可動筐体３２下端に可動ケース１７が各々軸線方向に装着され、開閉装置３０によって、固定筐体３１に対して可動筐体３２が開閉可能に軸支されていることは、上述した図３の構成と同様であるが、押釦３４は固定筐体３１の側面ではなく、これと直交方向の、固定筐体３１の背面端部に突出して装着されている。
【００３９】
そして、図７の斜視図に示すように、この押釦３４は押圧部３４Ａが、固定ケース１４から軸線方向とは略直交方向に外方へ延出した、解除体２２のアーム部２２Ａの傾斜部に当接するように装着され、開閉装置３０の軸線方向とは直交方向に押圧操作可能なように取付けられている。
【００４０】
以上の構成において、図６に示すように固定筐体３１に対して可動筐体３２が閉じた状態では、図８（ａ）のカム動作図に示すように、可動カム１６が反転カム２１の下側の傾斜部に弾接して、ばね１９によって下方向の閉方向へ付勢され、可動筐体３２が閉じた状態で保持されており、これは上述の図５（ａ）で説明した場合と同様であるが、この閉状態から、指で固定筐体３１背面端部の押釦３４を押圧操作すると、図８（ｂ）に示すように、押圧部３４Ａが軸線方向とは直交方向に移動して、アーム部２２Ａを押圧する。
【００４１】
このため、解除体２２が巻ばね２４を撓めながら下方向へ回転して、解除体２２右端の突部が反転体２０左端の突部から外れるため、反転カム２１が左方向へ移動する。
【００４２】
そして、図８（ｃ）に示すように、ばね１９に付勢された可動カム１６が固定カム１２上側の傾斜部に弾接して上方向へ回転し、可動ケース１７が上方向の開方向へ付勢されるため、この力によって可動ケース１７と、これが装着された可動筐体３２には開く方向の力が加わり、可動筐体３２が開操作される。
【００４３】
つまり、図３に示したような、固定筐体３１の後端側面に装着した押釦３３の、軸線方向への押圧操作によっても、図６に示すような、固定筐体３１の背面端部に装着した押釦３４の、軸線方向とは直交方向への押圧操作によっても、固定ケース１４に対して可動ケース１７が回転して、固定筐体３１に対する可動筐体３２の開閉操作が行われるようになっている。
【００４４】
すなわち、本発明の開閉装置３０においては、解除カム２３が形成された解除体２２に、固定ケース１４から外方へ延出するアーム部２２Ａを設けることで、押釦３３の軸線方向への押圧操作によって、解除カム２３を押圧して解除体２２を回転させることができると共に、押釦３４の軸線方向とは直交方向からの押圧操作によっても、アーム部２２Ａを押圧して解除体２２を回転させることが可能なように構成されている。
【００４５】
つまり、解除体２２が軸線方向からの押圧によっても、これと略直交方向からの押圧によっても、二方向からの押圧によって回転可能に形成されているため、この開閉装置３０を固定筐体３１と可動筐体３２の間に装着することで、図３に示すような固定筐体３１側面からの開閉操作と、図６に示すような固定筐体３１背面からの開閉操作とを、カムやリンク部材等の他の部品を使用することなく、同じ開閉装置３０を用いて行うことができるようになっている。
【００４６】
なお、以上の説明では、固定筐体３１上面に操作部３１Ａを、可動筐体３２前面に表示部３２Ａを設けた構成について説明したが、固定筐体３１上面に液晶表示素子等に光透過性のタッチパネル等を載置した表示部を設け、これを操作して表示されたメニューの確認や選択等を行う構成や、可動筐体３２後面にも表示部を設けたもの等、様々な構成の電子機器において本発明の実施は可能である。
【００４７】
このように本実施の形態によれば、解除カム２３への押圧に応じて回転する解除体２２に、固定ケース１４から外方へ延出するアーム部２２Ａを設けて開閉装置３０を形成すると共に、この開閉装置３０の固定ケース１４と可動ケース１７を、固定筐体３１と可動筐体３２に装着して電子機器を構成することで、押釦３３による軸線方向からの解除カム２３の押圧によって、固定筐体３１に対する可動筐体３２の開閉操作が行えると共に、これと略直交方向から押釦３４でアーム部２２Ａを押圧し、解除体２２を回転させて可動筐体３２の開閉を行うこともできるため、簡易な構成で、固定筐体３１の側面に加え、背面からの二方向からの多様な操作が可能な開閉装置、及びこれを用いた電子機器を得ることができるものである。
【産業上の利用可能性】
【００４８】
本発明による開閉装置及びこれを用いた電子機器は、簡易な構成で、多様な操作が可能なものを得ることができるという有利な効果を有し、主に各種電子機器に使用される開閉装置として有用である。
【符号の説明】
【００４９】
１１  固定体
１２  固定カム
１３  固定軸
１４  固定ケース
１５  可動体
１６  可動カム
１７  可動ケース
１８  止め輪
１９  ばね
２０  反転体
２１  反転カム
２２  解除体
２２Ａ  アーム部
２３  解除カム
２４  巻ばね
２５  蓋体
３０  開閉装置
３１  固定筐体
３１Ａ  操作部
３２  可動筐体
３２Ａ  表示部
３３、３４  押釦
３３Ａ、３４Ａ  押圧部
【図１】
2013145003.tif 000003
【図２】
2013145003.tif 000004
【図３】
2013145003.tif 000005
【図４】
2013145003.tif 000006
【図５】
2013145003.tif 000007
【図６】
2013145003.tif 000008
【図７】
2013145003.tif 000009
【図８】
2013145003.tif 000010
【図９】
2013145003.tif 000011